(57)【要約】      （修正有）【課題】人手負担の軽減と迅速で誤読を少なくしての伝達をも可能とする、簡便な手段を実現するスポーツ競技大会登録システムを提供する。【解決手段】（ａ）スポーツ競技団体が備える記録手段、（ｂ）前記記録手段にチームと選手を登録する登録入力手段、（ｃ）前記記録手段に登録された選手のリストから競技大会に参加する選手をチームとして選抜して登録する参加登録入力手段、（ｄ）前記記録手段に参加登録された選手のリストから出場メンバーを選抜してメンバー表を作成して前記記録手段に入力するメンバー表入力手段、（ｅ）前記登録手段に入力されたメンバー表を競技相手チームが入手可能とするメンバー表出力手段、および（ｆ）前記記録手段に入力されたメンバー表を公示するメンバー表公示出力手段を有する電子通信システムを構成する。【選択図】図１
0003216181.tif 000002
【実用新案登録請求の範囲】
【請求項１】
（ａ）スポーツ競技団体が備える記録手段、
（ｂ）前記記録手段にチームと選手を登録する登録入力手段、
（ｃ）前記記録手段に登録された選手のリストから競技大会に参加する選手をチームとして選抜して登録する参加登録入力手段、
（ｄ）前記記録手段に参加登録された選手のリストから出場メンバーを選抜してメンバー表を作成して前記記録手段に入力するメンバー表入力手段、
（ｅ）前記登録手段に入力されたメンバー表を競技相手チームが入手可能とするメンバー表出力手段、および
（ｆ）前記記録手段に入力されたメンバー表を公示するメンバー表公示出力手段
とを有し、前記（ａ）競技団体が備える記録手段はコンピューター装置であり、前記（ｂ）（ｃ）（ｄ）の入力手段および前記（ｅ）の出力手段である通信端末装置との間で電子通信相互対応が可能とされているスポーツ競技大会登録システム。
【請求項２】
前記（ｄ）（ｅ）（ｆ）のメンバー表は、競技大会のスターティングメンバーのリストとともにメンバーの交代、変更後のメンバーリストも含む請求項１記載のスポーツ競技大会登録システム。
【請求項３】
前記（ｄ）（ｅ）（ｆ）のメンバー表は、攻撃・守備の位置や順位、タイム回数等も含む請求項１または２記載のスポーツ競技大会登録システム。
【請求項４】
前記（ｆ）のメンバー表公示出力手段は、競技大会での放送、放映、パブリックビューイング、審判員や公式記録担当の手持ちの通信端末装置である請求項１、２または３に記載のスポーツ競技大会登録システム。
【請求項５】
請求項１から４のうちのいずれか一項に記載のスポーツ競技大会登録システムであって、競技試合結果の記録と入出力が可能とされているスポーツ競技大会登録システム。
【考案の詳細な説明】
【技術分野】
【０００１】
本考案は、野球、サッカー、ラグビー等の複数選手がチーム編成されたチーム対抗のスポーツ競技大会におけるチームと選手の登録システムに関するものである。
【背景技術】
【０００２】
地域や職域、あるいは全国、世界規模のスポーツ競技大会が様々な種類のスポーツについて開催されている。これらのスポーツ競技大会のうち、野球、サッカー、ラグビー、バスケットボール、バレーボール等として複数の選手がチーム編成されたチーム対抗の競技大会が良く知られており、選手はもとより、サポーターや地域、職域等の多くの人々の関心と支援や期待を集めている。
【０００３】
このようなチーム対抗のスポーツ競技大会では、一般に、あらかじめ競技団体が「協会」等の名称のもとに設立されており、この競技団体が競技大会を主催し、各々のチームが参加登録することで競技大会が開催、実施されている。
【０００４】
ただ、チーム対抗のスポーツ競技大会については、全国あるいは世界規模の場合はともかくとして、比較的中小規模の、例えば地域規模の大会では、人員や資金等の面からその運営について人手にたよる場合が多く、このことが具体的な場面での不都合や負担増の問題を生じさせている。
【０００５】
特に、その運営面においては、大会に参加するチームや参加選手のメンバーリストを手書きで、例えば複数枚のノンカーボン紙（感圧紙）に記入して登録申請することや、メンバーリストの変更、大会を観戦している人々への、またラジオ、テレビによる公示の手続きも手書き用紙による登録、伝達が主な手段となっている。このことは手書きによる負担や誤読による混乱を生じやすい。
【０００６】
手書きによるメンバーリストそのものについても、野球における先発メンバーの守備位置の変更やタイム回数を記録できるようにする改善提案がなされている（特許文献１）ものの、手書きとその記録用紙の相手方チームや、審判、あるいは会場アナウンス等に伝達するシステムそのものについての抜本的な改善は十分になされていないのが現状である。
【先行技術文献】
【特許文献】
【０００７】
【特許文献１】特開２０１６−７８４０２号公報
【考案の概要】
【考案が解決しようとする課題】
【０００８】
本考案は上記のとおりの事情に鑑みてなされたものであって、従来の手書きシステムによる人手負担の軽減と、迅速で誤読を少なくしての伝達をも可能とする、簡便な、スポーツ競技大会登録システムを提供することを課題としている。
【課題を解決するための手段】
【０００９】
本考案は、以下のことを特徴としている。
【００１０】
＜１＞（ａ）スポーツ競技団体が備える記録手段、
（ｂ）前記記録手段にチームと選手を登録する登録入力手段、
（ｃ）前記記録手段に登録された選手のリストから競技大会に参加する選手をチームとして選抜して登録する参加登録入力手段、
（ｄ）前記記録手段に参加登録された選手のリストから出場メンバーを選抜してメンバー表を作成して前記記録手段に入力するメンバー表入力手段、
（ｅ）前記登録手段に入力されたメンバー表を競技相手チームが入手可能とするメンバー表出力手段、および
（ｆ）前記記録手段に入力されたメンバー表を公示するメンバー表公示出力手段
とを有し、前記（ａ）競技団体が備える記録手段はコンピューター装置であり、前記（ｂ）（ｃ）（ｄ）の入力手段および前記（ｅ）の出力手段である通信端末装置との間で電子通信相互対応が可能とされているスポーツ競技大会登録システム。
【００１１】
＜２＞前記（ｄ）（ｅ）（ｆ）のメンバー表は、競技大会のスターティングメンバーのリストとともにメンバーの交代、変更後のメンバーリストも含む請求項１記載のスポーツ競技大会登録システム。
【００１２】
＜３＞前記（ｄ）（ｅ）（ｆ）のメンバー表は、攻撃・守備の位置や順位、タイム回数等も含む請求項１または２記載のスポーツ競技大会登録システム。
【００１３】
＜４＞前記（ｆ）のメンバー表公示出力手段は、競技大会での放送、放映、パブリックビューイング、審判員や公式記録担当の手持ちの通信端末装置である請求項１、２または３に記載のスポーツ競技大会登録システム。
【００１４】
＜５＞請求項１から４のうちのいずれか一項に記載のスポーツ競技大会登録システムであって、競技試合結果の記録と入出力が可能とされているスポーツ競技大会登録システム。
【考案の効果】
【００１５】
本考案によれば、急速に発展し、社会的普及が著しいＩＴ技術を活用することで、上記のとおりの構成を有するシステムが提供され、従来の手書きシステムによる人手負担の軽減と迅速で誤読を少なくしての伝達をも可能とする、簡便な手段が実現される。
【図面の簡単な説明】
【００１６】
【図１】地域野球大会を例として本考案システムの基本的概要を示した図である。
【図２】システムとしての具体例を示した図である。
【図３】野球大会の参加選手のメンバー表を例示した図である。
【図４】メンバー表に打順、守備位置、その変更の記載も含めた例を示した図である。
【図５】タイムや打球種などを含めた控え審判・アナウンス用のメンバー表の例を示した図である。
【考案を実施するための形態】
【００１７】
本考案の実施の形態を図１に例示することができる。なお、図１には、本考案のスポーツ競技大会登録システムを地域野球大会に適用した場合の概要が示されており、その一例としてＢａｓｅｂａｌｌ  Ｍｅｍｂｅｒｓ；ＢＢＭシステムと表記している。
【００１８】
スポーツ競技団体としての県野球協会には、（ａ）記録手段としての通信機能を有する記憶・演算のためのコンピューター装置が備えられている。また、必要に応じて、クラウド（雲）インターネット上にデータを保存する。
【００１９】
この（ａ）記録手段との間で電子通信相互対応が可能なパソコン（ＰＣ）やスマホなどの各種の通信端末装置が配備されている。これによって、（ｂ）登録入力手段での「１．チーム＆選手登録」が行われ、（ｃ）参加登録入力手段での「２．大会参加届」が提出される。
【００２０】
また、（ｄ）メンバー表入力手段での「３．試合前メンバー表作成」が行われ、（ｅ）メンバー表出力手段での「４．試合前のメンバー表変換」が行われる。さらに、（ｆ）メンバー表公示出力手段によって、アナウンス用等の公示も行われる。
【００２１】
また、前記の「４．試合前のメンバー表変換」において競技団体「審判部」を介することなどを考慮している。
【００２２】
図１の例示においても、さらにはその実施の形態として、前記（ｄ）（ｅ）（ｆ）のメンバーのリストとともに、メンバーの交代、変更後のメンバーリストも含むことや、前記（ｄ）（ｅ）（ｆ）のメンバー表は、攻撃・守備の位置や順位、タイム回数等も含むこと、そして、前記（ｆ）のメンバー表公示出力手段は、競技大会での放送、放映、パブリックビューイング、審判員や公式記録担当の手持ちの通信端末装置であることなどが例示される。
【００２３】
図１「５．試合結果を送る」等の、競技試合結果の記録と入出力が可能とされていることも例示される。試合結果については他の登録チーム等もいち早く閲覧する（知る）こともできる。
【００２４】
図２は、具体例として、岩手県遠野市の学童野球チーム「はやちねアローズ」を
例として、図１の場合と同様にＩＤパスワードを用いてのシステムを示している。また、図２においては、審判員の名簿も同様に登録および閲覧可能とすることも考慮される。なお、図２においても図１と同様に、本考案のスポーツ競技大会登録システムについて、例としてＢａｓｅｂａｌｌ  Ｍｅｍｂｅｒｓ；ＢＢＭシステムと表記している。
【００２５】
そして、図１と図２に例示の野球大会では、メンバー表については各種の標準化をしておくことが可能であって、（ａ）記録手段からの様式のダウンロードにより、例えば図３のように参加選手のメンバー表を構成することや、図４、図５のように、打順、守備位置等、そしてその変更の入力や記録、相手方での出力等を簡便に行うことも考慮される。
【００２６】
もちろん本考案は、このような例に限定されることはなく、各種競技において様々な形態が考慮されてよいことはいうまでもない。
【図１】
0003216181.tif 000003
【図２】
0003216181.tif 000004
【図３】
0003216181.tif 000005
【図４】
0003216181.tif 000006
【図５】
0003216181.tif 000007